(57)【要約】【課題】      指で摘んだ際にラバ−部材の外周面に形成した凹部で指が滑らず、グリップ力を向上する魚釣用リ−ルのハンドルを提供することである。【解決手段】  右側側板２の外側にハンドル軸１２が突設されてハンドル軸１２にハンドルア−ム４が取り付けられ、ハンドルア−ム４の両端には側面に支軸５が突設されて支軸５の外周にはスリ−ブ１３を挾んで軸受１４、１５が嵌合されてビス１６で抜け止めされている。  軸受１４、１５の外周にはハンドルノブ本体６が嵌合されている。  ハンドルノブ本体６の外周にラバ−部材７が嵌合するように取り付けられ、天然ゴムや合成ゴムからなるラバ−部材７の筒部７ａの外周７ｅの周面に長い溝からなる凹部７ｇと複数の円形凹部７ｈの列が交互に形成されている。【選択図】        図１
2007143457.tif 000002
【特許請求の範囲】
【請求項１】
ハンドルア−ムの側面に突設した支軸の外周にハンドルノブを回転可能に支持した魚釣用リ−ルのハンドルにおいて、前記ハンドルノブ本体の外周にラバ−部材を設け、該ラバ−部材の指で摘み保持される周面に凹部を形成したことを特徴とする魚釣用リ−ルのハンドル。
【請求項２】
前記凹部は、前記ハンドルノブ本体の外周に到達する貫通孔であることを特徴とする請求項１記載の魚釣用リ−ルのハンドル。
【発明の詳細な説明】
【技術分野】
【０００１】
本件発明は、スプ−ルに釣糸を巻き上げる魚釣用リ−ルのハンドルに関する。
【背景技術】
【０００２】
従来、魚釣用リ−ルのハンドルは、親指と人差し指と中指でハンドルノブを摘んだ時に、摘んだ時の感触を良くすると共に指先を滑りにくくする為に、ハンドルノブの外周にラバ−部材（可撓性カバ−）を設けたものが特許文献１で知られている。
【特許文献１】実開昭６３−１５７７６号公報
【発明の開示】
【発明が解決しようとする課題】
【０００３】
解決しようとする問題点は、特許文献１に見られるラバ−部材の構成は、ラバ−部材を筒状の厚肉に形成し、ラバ−部材とハンドルノブ本体の接合面の少なくとも何れか一方に凹部を形成したことによって指圧に順応して撓みやすくなり、従ってラバ−部材を指先で摘んだ際にラバ−部材の撓みにより局部的な当たりが緩和されて手が痛くなるのが解消され、握持時のソフト感は期待できるが、手の指に水分や魚のヌメリ等が付着している場合に指で摘んで回転操作する際に滑り易く、操作性に劣る。
更に、特許文献１は、ラバ−部材とハンドルノブ本体との接合面の少なくとも何れか一方に凹部を形成しているので、ラバ−部材とハンドルノブ本体との接合する部位が小さく、従って、ラバ−部材が動き易い、捲れ易い、外れ易い、という問題がある。
【０００４】
本発明の目的は前記欠点に鑑み、指で摘んだ際にラバ−部材の外周面に形成した凹部で指が滑らず、グリップ力を向上する魚釣用リ−ルのハンドルを提供することである。
【課題を解決するための手段】
【０００５】
本発明の請求項１は、ハンドルア−ムの側面に突設した支軸の外周にハンドルノブを回転可能に支持した魚釣用リ−ルのハンドルにおいて、前記ハンドルノブ本体の外周にラバ−部材を設け、該ラバ−部材の指で摘み保持される周面に凹部を形成したことを要旨とするものである。
本発明の請求項２は、前記凹部は、前記ハンドルノブ本体の外周に到達する貫通孔であることを要旨とするものである。
【発明の効果】
【０００６】
本発明の請求項１によれば、ハンドルノブ本体の外周にラバ−部材を設け、該ラバ−部材の指で摘み保持される周面に凹部を形成したことで凹部で指が滑らず、ラバ−部材を肉厚に形成することなく、指で摘んだ際のグリップ力の向上が図られる。
更に、ラバ−部材を肉厚に形成しない（薄肉に形成している）ので、製品のコストダウン、軽量化が可能となると共に、特許文献１に見られるようなラバ−部材とハンドルノブ本体の接合面に凹部を形成していないので、ラバ−部材が変形しにくく、安定した組み付き状態を維持することができる。
本発明の請求項２によれば、ラバ−部材の凹部は、ハンドルノブ本体の外周に到達する貫通孔としたことで、製品のコストダウン及び軽量化が更に図られると共に、ハンドルノブ本体とラバ−部材に設けられた貫通孔のコントラストによる意匠的な美観を向上することができる。
【発明を実施するための最良の形態】
【０００７】
右側側板２の外側にハンドル軸１２が突設されてハンドル軸１２にハンドルア−ム４が取り付けられている。
ハンドルア−ム４の両端には側面に支軸５が突設されている。
支軸５の外周にはスリ−ブ１３を挾んで軸受１４、１５が嵌合されてビス１６で抜け止めされている。
軸受１４、１５の外周にはハンドルノブ本体６が嵌合されている。
ハンドルノブ本体６の外周にラバ−部材７が嵌合するように取り付けられている。
天然ゴムや合成ゴムからなるラバ−部材７の筒部７ａの外周７ｅの周面に長い溝からなる凹部７ｇと複数の円形凹部７ｈの列が交互に形成されている。
【実施例１】
【０００８】
以下、図面を参照しつつ本発明について説明する。
図１から図３は第１実施例で、図１は魚釣用リ−ルの平面図、図２は魚釣用リ−ルのハンドルノブの拡大断面平面図、図３は図２のＦ３−Ｆ３断面線のハンドルノブの断面背面図である。
【０００９】
リ−ル本体Ａはフレ−ム１とフレ−ム１の両側枠部１ａ、１ｂに取り付けられた右側側板２と左側側板３で構成されている。
フレ−ム１は両側枠部１ａ、１ｂと前側カバ−１ｃと上側カバ−１ｄと図示しないリ−ル脚の固定板が一体的に、かつ両側枠部１ａ、１ｂが平行に保持されている。
両側枠部１ａ、１ｂ間にはスプ−ル１０がスプ−ル軸１１に固定されて回転可能に支持されている。
右側側板２の外側にハンドル軸１２が突設されてハンドル軸１２にハンドルア−ム４が取り付けられている。
ハンドルア−ム４の両端には側面に支軸５が突設されている。
支軸５の外周にはスリ−ブ１３を挾んで軸受１４、１５が嵌合されてビス１６で抜け止めされている。
軸受１４、１５の外周にはハンドルノブ本体６が嵌合されている。
ハンドルノブ本体６の外周にラバ−部材７が嵌合するように取り付けられてハンドルノブ本体６とラバ−部材７でハンドルノブＢが構成されている。
【００１０】
ハンドルノブ本体６は金属または合成樹脂で形成されている。
ハンドルノブ本体６の形状は、長い筒部６ａと筒部６ａの内側のスリ−ブ１３が嵌合される透孔６ｂと軸受１４、１５が夫々嵌合される両端の凹部６ｃ、６ｄと、筒部６ａの外側のハンドルア−ム４側に周溝６ｅと長い外周６ｆと段部で太径部６ｇと太径端部６ｈで形成されている。
天然ゴムや合成ゴムからなるラバ−部材７の形状は、筒部７ａと筒部７ａの内周７ｂの一端に内側に突出された鍔部７ｃと内周７ｂの他側の大径の内周７ｄと、内周７ｂの外側の外周７ｅと大径の内周７ｄの外側の数段の段部からなる外周７ｆで形成されて、外周７ｅの周面に長い溝からなる凹部７ｇと複数の円形凹部７ｈの列が交互に形成されている。
長い溝からなる凹部７ｇの横幅は円形凹部７ｈの内径より幾分大きく形成されている。
ハンドルノブ本体６の外側にラバ−部材７が嵌合される時は、長い外周６ｆの外周に内周７ｂが嵌合されると共に周溝６ｅに鍔部７ｃが嵌合され、太径部６ｇの外周に大径の内周７ｄが嵌合される。
【００１１】
スプ−ル１０に図示しない釣糸が巻回される方向にハンドルア−ム４が回転される時は、ハンドルノブ本体６の外側のラバ−部材７が手の指で摘み保持されて回転される。
この時、ラバ−部材７が手の指で摘み保持されると指が長い溝からなる凹部７ｇや複数の円形凹部７ｈに当たって指が滑らずに握持される。
【００１２】
前記のように魚釣用リ−ルのハンドルが構成されると、ハンドルノブ本体６の外周にラバ−部材７を設け、該ラバ−部材７の指で摘み保持される外周７ｅの周面に凹部７ｇ、７ｈを形成したことで凹部７ｇ、７ｈで指が滑らず、ラバ−部材７を肉厚に形成することなく、指で摘んだ際のグリップ力の向上が図られる。
更に、ラバ−部材７を肉厚に形成しない（薄肉に形成している）ので、製品のコストダウン、軽量化が可能となると共に、特許文献１に見られるようなラバ−部材とハンドルノブ本体の接合面に凹部を形成していないので、ラバ−部材が変形しにくく、安定した組み付き状態を維持することができる。
【実施例２】
【００１３】
図４から図７は第２実施例で、図４は魚釣用リ−ルの平面図、図５は魚釣用リ−ルのハンドルノブの拡大断面平面図、図６は図５のＦ６−Ｆ６断面線のハンドルノブの断面背面図、図７は魚釣用リ−ルのハンドルノブの他側の拡大断面平面図である。
【００１４】
第２実施例では、ハンドルノブ本体６の長い筒部６ａに軸方向と直交する方向に複数の円形貫通孔６ｉが形成されている。
ハンドルノブ本体６の長い筒部６ａの外周に嵌合されたラバ−部材７の筒部７ａには細長い貫通孔からなる凹部７ｉと複数の円形貫通孔からなる凹部７ｊの列が交互に形成されている。
細長い貫通孔からなる凹部７ｉの横幅は円形貫通孔からなる凹部７ｊの内径より幾分大きく、円形貫通孔からなる凹部７ｊの内径は円形貫通孔６ｉの内径とほぼ同一に形成されている。
その他の構成は前記第１実施例と同様であるため、それらの説明は省略する。
【００１５】
ラバ−部材７の凹部７ｉ、７ｊは、ハンドルノブ本体６の外周に到達する貫通孔としたことで、製品のコストダウン及び軽量化が更に図られると共に、ハンドルノブ本体６とラバ−部材７に設けられた貫通孔のコントラストによる意匠的な美観を向上することができる。
【産業上の利用可能性】
【００１６】
前記説明では、魚釣用リ−ルのハンドルを特定しないで述べたが、各形式の魚釣用リ−ルのハンドルに実施してもよい。
【図面の簡単な説明】
【００１７】
【図１】第１実施例で、魚釣用リ−ルの平面図である。
【図２】同魚釣用リ−ルのハンドルノブの拡大断面平面図である。
【図３】同図２のＦ３−Ｆ３断面線のハンドルノブの断面背面図である。
【図４】第２実施例で、魚釣用リ−ルの平面図である。
【図５】同魚釣用リ−ルのハンドルノブの拡大断面平面図である。
【図６】同図５のＦ６−Ｆ６断面線のハンドルノブの断面背面図である。
【図７】同魚釣用リ−ルのハンドルノブの他側の拡大断面平面図である。
【符号の説明】
【００１８】
４  ハンドルア−ム
５  支軸
６  ハンドルノブ本体
７  ラバ−部材
７ｇ、７ｈ、７ｉ、７ｊ  凹部
Ｂ  ハンドルノブ
【図１】
2007143457.tif 000003
【図２】
2007143457.tif 000004
【図３】
2007143457.tif 000005
【図４】
2007143457.tif 000006
【図５】
2007143457.tif 000007
【図６】
2007143457.tif 000008
【図７】
2007143457.tif 000009